(57)【特許請求の範囲】
【請求項１】
プログラマブルロジックコントローラとパーソナルコンピュータとを選択的に接続可能な少なくとも１個の汎用シリアル通信ポートを有し、上記プログラマブルロジックコントローラとの間で通信を行う第１の通信モードと上記パーソナルコンピュータとの間で通信を行う第２の通信モードとを有するプログラマブル表示器において、
上記汎用シリアル通信ポートの特定の信号ラインを一定時間ＬｏｗまたはＨｉｇｈにすることにより得られる上記パーソナルコンピュータからの設定信号の受信に応答して上記第１の通信モードから上記第２の通信モードに切り換える通信モード切り換え手段を具備すること
を特徴とするプログラマブル表示器。
【請求項２】
上記プログラマブルロジックコントローラとの間の通信を制御するプログラマブルロジックコントローラ通信プログラムおよび画面データの転送を制御する画面転送プログラムおよび画面表示を制御する画面表示プログラムおよび画面データを格納する画面ファイルを内蔵し、上記通信モード切り換え手段による通信モードの切り換えは、内蔵された通信ミドルウエアにより行われることを特徴とする請求項１記載のプログラマブル表示器。
【請求項３】
上記第２の通信モードは、上記パーソナルコンピュータとの間で上記画面転送プログラムを用いて画面データの転送を行い、上記通信ミドルウエアは、上記画面データの転送の終了後に行われる上記パーソナルコンピュータでの確認操作に基づき上記第２の通信モードから上記第１の通信モードに復帰させることを特徴とする請求項２記載のプログラマブル表示器。
【請求項４】
プログラマブルロジックコントローラとパーソナルコンピュータとを選択的に接続可能な少なくとも１個の汎用シリアル通信ポートを有し、上記プログラマブルロジックコントローラとの間で通信を行う第１の通信モードと上記パーソナルコンピュータとの間で通信を行う第２の通信モードとを有するプログラマブル表示器の制御方法において、
上記汎用シリアル通信ポートの特定の信号ラインを一定時間ＬｏｗまたはＨｉｇｈにすることにより得られる上記パーソナルコンピュータからの設定信号の受信に応答して上記第１の通信モードから上記第２の通信モードに切り換えること
を特徴とするプログラマブル表示器の制御方法。
【請求項５】
上記第２の通信モードは、上記パーソナルコンピュータとの間で画面データの転送を行い、上記画面データの転送の終了後に行われる上記パーソナルコンピュータでの確認操作に基づき上記第２の通信モードから上記第１の通信モードに復帰させることを特徴とする請求項４記載のプログラマブル表示器の制御方法。
【発明の詳細な説明】
【０００１】
【発明の属する技術分野】
この発明は、プログラマブルロジックコントローラ（以下、ＰＬＣという）とパーソナルコンピュータとを選択的に接続可能な汎用シリアル通信ポートを有するプログラマブル表示器に関し、特に、ＰＬＣとの間で通信を行う第１の通信モードとパーソナルコンピュータとの間で通信を行う第２の通信モードとの間の切り換え操作を容易にしたプログラマブル表示器に関する。
【０００２】
【従来の技術】
一般に、この種のプログラマブル表示器は、シリアル通信ポートを介してＰＬＣとの間で通信を行うことにより、ＰＬＣの各種動作状態のモニタ表示を行うとともに、操作画面上でＰＬＣに対する各種操作入力を行うことができる。
【０００３】
プログラマブル表示器の操作画面を変更等するときは、プログラマブル表示器のシリアル通信ポートからＰＬＣを切り離し、その空のシリアル通信ポートにパーソナルコンピュータを接続するとともに、プログラマブル表示器とパーソナルコンピュータとの間で、シリアル通信ポートを介して画面データの転送を行なっている。
【０００４】
上記のようにプログラマブル表示器のシリアル通信ポートにパーソナルコンピュータを接続し、パーソナルコンピュータとプログラマブル表示器との間で通信を行う場合は、プログラマブル表示器の画面メニュー上で通信モードの切換え操作が必要になり、この通信モード切換え操作は、具体的にはＰＬＣとの間で通信を行う第１の通信モードから、パーソナルコンピュータとの間で通信を行う第２の通信モードに切り換える操作である。
【０００５】
図５は、プログラマブル表示器の画面メニュー上で通信モードを切り換える場合の画面メニュー例を示したものである。
【０００６】
ここで、プログラマブル表示器の表示画面はタッチパネルから構成され、プログラマブル表示器の画面メニュー上で通信モードを切り換える場合は、プログラマブル表示器の表示画面に図５に示すような通信モード設定画面１００が表示され、この通信モード設定画面１００上の「オンラインモード」ボタン若しくは「オフラインモード」ボタンを押すことにより通信モードが切り換えられる。
【０００７】
なお、「オンラインモード」とは、ＰＬＣとの間で通信を行う第１の通信モードを意味し、「オフラインモード」とは、パーソナルコンピュータとの間で通信を行う第２の通信モードを意味する。
【０００８】
ところで、図６に示したように、この種のプログラマブル表示器２１０はＰＬＣ２１１、２１１に接続されるが、そのＰＬＣ２１１、２１１が工場２００に設置されていることから、プログラマブル表示器２１０もまた同じ工場に設置される。一方、パーソナルコンピュータ３１０は、プログラマブル表示器２１０の操作画面を変更する手段であるだけでなく、その操作画面を新規に作成する手段でもあり、その操作画面の作成作業等は事務所向きの作業であることから、パーソナルコンピュータ３１０は通常、工場２００から離れた事務所３００に配置されている。
【０００９】
したがって、たとえば、プログラマブル表示器２１０の操作画面を変更する場合は、予め事務所３００でパーソナルコンピュータ３１０により新しい操作画面を作成した後、そのパーソナルコンピュータ３１０を工場２００へ持ち込む。そして、プログラマブル表示器２１０のシリアル通信ポートからＰＬＣ２１２を切り離し、その空のシリアル通信ポートにパーソナルコンピュータ３１０を接続するとともに、図５に示した通信モード設定画面１００を開き、この通信モード設定画面１００上で「オフラインモード」ボタンを押すことにより、パーソナルコンピュータ３１０との間で通信を行う第２の通信モードに切り換えた後、プログラマブル表示器２１０とパーソナルコンピュータ３１０との間で、必要な画面データの転送を行う。
【００１０】
そして、画面データの転送が終了した後は、パーソナルコンピュータ３１０を接続する前の状態に戻す作業、すなわち（１）プログラマブル表示器２１０のシリアル通信ポートからパーソナルコンピュータ３１０を切り離し、そのシリアル通信ポートにＰＬＣ２１２を元通りに接続する作業と、（２）図５に示した通信モード設定画面１００を開き、この通信モード設定画面１００上で「オンラインモード」ボタンを押すことにより、ＰＬＣとの間で通信を行う第１の通信モードに復帰させる作業を行なう。
【００１１】
しかし、上記従来の構成においては、プログラマブル表示器２１０とパーソナルコンピュータ３１０との間で画面データの通信を行うに際して、プログラマブル表示器２１０における操作とパーソナルコンピュータ３１０における操作との両者が必要になり、ユーザの操作は複雑になる。
【００１２】
【発明が解決しようとする課題】
そこで、この発明は、パーソナルコンピュータ側の操作だけで通信モードを切り換えることができるようにして操作性の向上を図ることを目的とする。
【００１３】
また、この発明は、パーソナルコンピュータ側の操作だけで通信モードを切り換えることができるようにして操作性の向上を図ったプログラマブル表示器を提供することを目的とする。
【００１４】
また、この発明は、パーソナルコンピュータ側の操作だけで通信モードを切り換えることができるようにして操作性の向上を図ったプログラマブル表示器の制御方法を提供することを目的とする。
【００１５】
【課題を解決するための手段】
上記目的を達成するために、この発明のプログラマブル表示器は、プログラマブルロジックコントローラとパーソナルコンピュータとを選択的に接続可能な少なくとも１個の汎用シリアル通信ポートを有し、上記プログラマブルロジックコントローラとの間で通信を行う第１の通信モードと上記パーソナルコンピュータとの間で通信を行う第２の通信モードとを有するプログラマブル表示器において、上記汎用シリアル通信ポートの特定の信号ラインを一定時間ＬｏｗまたはＨｉｇｈにすることにより得られる上記パーソナルコンピュータからの設定信号の受信に応答して上記第１の通信モードから上記第２の通信モードに切り換える通信モード切り換え手段を具備することを特徴とする。
【００１６】
ここで、上記第１の通信モードは、以下の実施形態に示す「ＰＬＣとの通信モード」に対応する。また、上記第２の通信モードは、以下の実施例に示す「パーソナルコンピュータとの通信モード」に対応する。上記パーソナルコンピュータからの設定信号は、以下の実施形態に示すパーソナルコンピュータからの「通信設定」信号に対応する。
【００１７】
また、この発明のプログラマブル表示器は、上記プログラマブルロジックコントローラとの間の通信を制御するプログラマブルロジックコントローラ通信プログラムおよび画面データの転送を制御する画面転送プログラムおよび画面表示を制御する画面表示プログラムおよび画面データを格納する画面ファイルを内蔵し、上記通信モード切り換え手段による通信モードの切り換えは、このプログラマブル表示器に内蔵された通信ミドルウエアにより行われる。
【００１８】
上記第２の通信モードは、上記パーソナルコンピュータとの間で上記画面転送プログラムを用いて画面データの転送を行い、上記通信ミドルウエアは、上記画面データの転送の終了後に行われる上記パーソナルコンピュータでの確認操作に基づき上記第２の通信モードから上記第１の通信モードに復帰させるように構成することもできる。
【００１９】
上記汎用シリアル通信ポートについては、例えば、ＲＳ２３２Ｃ、ＲＳ−４２２Ａ等のポート、その他これに類するポートを適用することができる。
【００２０】
上記パーソナルコンピュータからの設定信号については、例えば、▲１▼パーソナルコンピュータの汎用シリアル通信ポートの特定の信号ラインを一定時間ＬｏｗまたはＨｉｇｈにすること、あるいは▲２▼パーソナルコンピュータから送信される通信コマンドデータなどにより実現できる。
【００２１】
また、この発明のプログラマブル表示器の表示方法は、プログラマブルロジックコントローラとパーソナルコンピュータとを選択的に接続可能な少なくとも１個の汎用シリアル通信ポートを有し、上記プログラマブルロジックコントローラとの間で通信を行う第１の通信モードと上記パーソナルコンピュータとの間で通信を行う第２の通信モードとを有するプログラマブル表示器の制御方法において、上記汎用シリアル通信ポートの特定の信号ラインを一定時間ＬｏｗまたはＨｉｇｈにすることにより得られる上記パーソナルコンピュータからの設定信号の受信に応答して上記第１の通信モードから上記第２の通信モードに切り換えることを特徴とする。
【００２２】
ここで、上記第２の通信モードは、上記パーソナルコンピュータとの間で画面データの転送を行い、上記画面データの転送の終了後に行われる上記パーソナルコンピュータでの確認操作に基づき上記第２の通信モードから上記第１の通信モードに復帰させるように構成することもできる。
【００２３】
【発明の実施の形態】
以下、この発明に係わるプログラマブル表示器とその制御方法の実施形態について添付図面を参照して詳細に説明する。
【００２４】
図１は、この発明に係わるプログラマブル表示器の一実施形態の概略構成を示すブロック図である。
【００２５】
図１において、このプログラマブル表示器１０は、画面ファイル１１および画面表示プログラム１２、ＰＬＣ通信プログラム１３、画面データ転送プログラム１４を内蔵するとともに、２つの通信ミドルウエア１５、１６を内蔵し、更に２つの汎用シリアル通信ポート１７、１８を備えている。
【００２６】
上記２つの汎用シリアル通信ポート１７、１８は別々に存在するが、いずれも同じ機能を有している。なお、図１には、右の汎用シリアル通信ポート１８にパーソナルコンピュータ３０を接続した状態が示されているが、これは右の汎用シリアル通信ポート１８を介してパーソナルコンピュータ３０との通信を行なうためであり、通常の運用状態では、右の汎用シリアル通信ポート１８にも左の汎用シリアル通信ポート１７と同様にＰＬＣ２０が接続される。また、左の汎用シリアル通信ポート１７を介してパーソナルコンピュータとの通信を行なうこともでき、この場合は左の汎用シリアル通信ポート１７からＰＬＣ２０を切り離し、その左の汎用シリアル通信ポート１７にパーソナルコンピュータを接続するものとする。要するに、本実施形態のプログラマブル表示器１０は、いずれの汎用シリアル通信ポート１７、１８にもＰＬＣ２０とパーソナルコンピュータ３０を選択的に接続できるように構成される。
【００２７】
画面ファイル１１は、このプログラマブル表示器１０で表示される各種モニタ画面および操作画面の画面データを格納する。
【００２８】
画面表示プログラム１２は、画面ファイル１１に格納された画面データに基づき、プログラマブル表示器１０の表示画面に表示される各種モニタ画面および操作画面を制御する。
【００２９】
ＰＬＣ通信プログラム１３は、通信ミドルウエア１５（もしくは１６）および汎用シリアル通信ポート１７（もしくは１８）を経由してＰＬＣ２０との間の通信を制御する。
【００３０】
画面データ転送プログラム１４は、通信ミドルウエア１６（もしくは１５）および汎用シリアル通信ポート１８（もしくは１７）を経由してパーソナルコンピュータ３０との間での通信（画面データの転送等）を制御する。
【００３１】
２つの通信ミドルウエア１５、１６は別々に存在するが、その機能は同一であり、その双方とも「ＰＬＣとの通信モード」と「パーソナルコンピュータとの通信モード」のいずれかの通信モードに切り換える機能を有している。なお、「ＰＬＣ２０との通信モード」とは、プログラマブル表示器１０とＰＬＣ２０との間での通信を可能とするモードであり、「パーソナルコンピュータとの通信モード」とは、パーソナルコンピュータ３０からの「通信設定」信号に基づき、プログラマブル表示器１０とパーソナルコンピュータ３０との間での通信を可能とするモードである。
【００３２】
図１では、左の汎用シリアル通信ポート１７にＰＬＣ２０を接続し、かつ右の汎用シリアル通信ポート１８にパーソナルコンピュータ３０を接続した状態を示したが、本実施形態のプログラマブル表示器１０の場合、通常運用時は、図示は省略するが、その右の汎用シリアル通信ポート１８にも左の汎用シリアル通信ポートと同様にＰＬＣが接続され、この図示しないＰＬＣとの間でも通信が行なわれる。この場合、左の汎用シリアル通信ポート１７に接続されているＰＬＣ２０との間の通信においては、ＰＬＣ通信プログラム１３、そのＰＬＣ２０が接続されている汎用シリアル通信ポート１７、および左の通信ミドルウエア１５が使用され、右の汎用シリアル通信ポート１８に接続した図示しないＰＬＣとの間の通信においては、ＰＬＣ通信プログラム１３、そのＰＬＣが接続されている汎用シリアル通信ポート１８、および右の通信ミドルウエア１６が使用される。
【００３３】
要するに、本実施形態のプログラマブル表示器１０の場合、汎用シリアル通信ポート１７（もしくは１８）にＰＬＣ２０が接続されている通常運用時は、そのＰＬＣ２０との間で通信が行なわれるが、その汎用シリアル通信ポート１８（もしくは１７）からＰＬＣ２０を切り離し、この空の汎用シリアル通信ポート１８（もしくは１７）にパーソナルコンピュータ３０を接続すれば、そのパーソナルコンピュータ３０との間で通信を行なうことができる。
【００３４】
上記のようにＰＬＣ２０との通信を行なう場合には、ＰＬＣ通信プログラム１３、そのＰＬＣ２０が接続されている汎用シリアル通信ポート１７（もしくは１８）、および通信ミドルウエア１５（もしくは１６）が使用され、また、上記のようにパーソナルコンピュータ３０との通信を行なう場合には、画面データ転送プログラム１４、そのパーソナルコンピュータ３０が接続されている汎用シリアル通信ポート１８（もしくは１７）、および通信ミドルウエア１６（もしくは１５）が使用される。
【００３５】
すなわち、図１に示したように、右の汎用シリアル通信ポート１８にパーソナルコンピュータ３０を接続した場合には、右の通信ミドルウエア１６は、パーソナルコンピュータ３０から送信される「通信設定」信号に応答して、画面データ転送プログラム１４に接続され、パーソナルコンピュータ３０との間で画面ファイル１１の通信を行なう。ここで、パーソナルコンピュータ３０に代えて、ＰＬＣ２０を右の汎用シリアル通信ポート１８に接続した場合には、右の通信ミドルウエア１６はＰＬＣ通信プログラム１３と接続されるとともに、画面表示プログラム１２が、画面ファイル１１に格納されている画面データに基づき、このプログラマブル表示器１０で表示される各種モニタ画面および操作画面を制御する。
【００３６】
また、図１に示したように、左の汎用シリアル通信ポート１７にＰＬＣ２０が接続されている場合には、左の通信ミドルウエア１５はＰＬＣ通信プログラム１３と接続されるとともに、画面表示プログラム１２が、画面ファイル１１に格納されている画面データに基づき、このプログラマブル表示器１０で表示される各種モニタ画面および操作画面を制御する。ここで、ＰＬＣ２０に代えて、パーソナルコンピュータ３０を左の汎用シリアル通信ポート１７に接続した場合には、左の通信ミドルウエア１７は、パーソナルコンピュータ３０から送信される「通信設定」信号に応答して画面データ転送プログラムに接続され、パーソナルコンピュータ３０との間で画面ファイル１１の通信を行なう。
【００３７】
図２は、図１に示したパーソナルコンピュータ３０の通信設定画面４０の一例を示す図である。
【００３８】
図２において、「通信設定」ボタン４１を、パーソナルコンピュータ３０の図示しないマウス等を用いてクリックすると、パーソナルコンピュータ３０からプログラマブル表示器１０の汎用シリアル通信ポート１８を経由して通信ミドルウエア１６に「通信設定」信号が送信される。そして、通信ミドルウエア１６はこの「通信設定」信号を受信すると、「ＰＬＣとの通信モード」から「パーソナルコンピュータとの通信モード」ヘの切り換えを行う。このとき通信ミドルウエア１６は上述の通り画面データ転送プログラム１４と接続される。これにより画面データ転送プログラム１４、汎用シリアル通信ポート１８、および通信ミドルウエア１６を使用して、プログラマブル表示器１０とパーソナルコンピュータ３０との間での通信が可能となる。
【００３９】
次に、図２のボタン４２若しくはボタン４３を図示しないマウス等を用いて選択的にクリックすることにより画面データの通信方向の選択を行う。ここで、ボタン４２がクリックされた場合は、パーソナルコンピュータ３０側の画面データをプログラマブル表示器１０側に送信するように設定され、ボタン４３がクリックされた場合は、プログラマブル表示器１０側の画面データをパーソナルコンピュータ３０側に送信するように設定される。
【００４０】
図３は、上記図２の通信設定画面４０での設定に基づき画面データの転送が終了した場合に、パーソナルコンピュータ３０の表示画面上に表示される通信モード切り換え確認画面５０の一例を示す図である。
【００４１】
図３において、通信モード切り換え確認画面５０には、画面データの転送が終了した旨の表示と「ＰＬＣとの通信モード」に復帰してよいかの確認を行う確認表示がなされている。
【００４２】
ここで、「はい」のボタン５１を、図示しないマウス等を用いてクリックすると、パーソナルコンピュータ３０からプログラマブル表示器１０の汎用シリアル通信ポート１８を経由して、通信ミドルウエア１６に「はい」のクリック信号、すなわち「ＰＬＣとの通信モード設定」信号が送信される。そして、その通信ミドルウエア１６はこの「ＰＬＣとの通信モード設定」信号を受信すると、「パーソナルコンピュータとの通信モード」から「ＰＬＣとの通信モード」ヘの通信モードの切り換えを行う。このとき通信ミドルウエア１６は上述の通りＰＬＣ通信プログラム１３と接続される。この時点で、汎用シリアル通信ポート１８からパーソナルコンピュータ３０を切り離すとともに、その空の汎用シリアル通信ポート１８にＰＬＣ２０を接続すれば、ＰＬＣ通信プログラム１３、汎用シリアル通信ポート１８、通信ミドルウエア１６を使用して、プログラマブル表示器１０とＰＬＣ２０との通信が復帰される。
【００４３】
図４は、図１に示したプログラマブル表示器１０の動作を示すフローチャートである。
【００４４】
このフローチャートの制御が開始されると、まず「ＰＬＣとの通信モード」を実行する（ステップ６１）。この「ＰＬＣとの通信モード」において、プログラマブル表示器１０では、画面表示プログラム１２が画面ファイル１１に格納された画面データに基づきこのプログラマブル表示器１０で表示される各種モニタ画面および操作画面を制御するとともに、ＰＬＣ通信プログラム１３、ＰＬＣ２０が接続されている汎用シリアル通信ポート１７、および通信ミドルウエア１５を経由してＰＬＣ２０との間の通信を制御する。このとき、汎用シリアル通信ポート１８にもＰＬＣが接続されている場合、このプログラマブル表示器１０は、ＰＬＣ通信プログラム１３と、その汎用シリアル通信ポート１８、および通信ミドルウエア１６を経由して、当該汎用シリアル通信ポート１８に接続されているＰＬＣとの間の通信も制御する。
【００４５】
次に、パーソナルコンピュータ３０から「通信設定」信号が入ったかが調べられる（ステップ６２）。ここで、パーソナルコンピュータ３０から「通信設定」信号が入っていないと判断されると（ステップ６２でＮＯ）、ステップ６１に戻り、ＰＬＣ２０との間の通信を継続する。
【００４６】
また、ステップ６２でパーソナルコンピュータ３０から「通信設定」信号が入ったと判断されると（ステップ６２でＹＥＳ）、「ＰＬＣとの通信モード」から「パーソナルコンピュータとの通信モード」ヘ設定を切り換え（ステップ６３）、パーソナルコンピュータ３０との通信モードに入る（ステップ６４）。
【００４７】
このようにして「パーソナルコンピュータとの通信モード」に入ると、プログラマブル表示器１０は、画面データ転送プログラム１４、パーソナルコンピュータ３０が接続されている汎用シリアル通信ポート１８、および通信ミドルウエア１６を使用して、パーソナルコンピュータ３０との間で画面データを転送する通信を行なう（ステップ６５）。
【００４８】
そして、上記のような通信による画面データの転送が完了すると（ステップ６６）、パーソナルコンピュータ３０から「ＰＬＣとの通信モード設定」信号が入ったかが調べられる（ステップ６７）。
【００４９】
ここで、「ＰＬＣとの通信モード設定」信号が入っていないと判断されると（ステップ６７でＮＯ）、ステップ６４に戻り、「パーソナルコンピュータとの通信モード」を継続する。
【００５０】
しかし、ステップ６７で、「ＰＬＣとの通信モード設定」信号が入ったと判断されると（ステップ６７でＹＥＳ）、「ＰＬＣとの通信モード」に設定し（ステップ６８）、ステップ６１に戻る。
【００５１】
なお、上記実施形態では汎用シリアル通信ポート１７、１８を２個備える例について説明したが、本発明はそのような汎用シリアル通信ポートが１つしかないプログラマブル表示器にも適用できる。この場合も、上記実施形態と同様に、通常運用時は当該１つの汎用シリアル通信ポートにＰＬＣが接続されており、パーソナルコンピュータとの通信を行なうときにのみ、その汎用シリアル通信ポートからＰＬＣが切り離され、この空の汎用シリアル通信ポートにパーソナルコンピュータが接続される。そして、パーソナルコンピュータとの通信終了後は、上記通常運用時の接続状態に戻される。
【００５２】
【発明の効果】
以上説明したようにこの発明によれば、プログラマブルロジックコントローラとパーソナルコンピュータとを選択的に接続可能な少なくとも１個の汎用シリアル通信ポートを有し、上記プログラマブルロジックコントローラとの間で通信を行う第１の通信モードと上記パーソナルコンピュータとの間で通信を行う第２の通信モードとを有するプログラマブル表示器において、上記汎用シリアル通信ポートに接続されたパーソナルコンピュータからの設定信号の受信に応答して上記第１の通信モードから上記第２の通信モードに切り換えるように構成したので、パーソナルコンピュータ側の操作だけでプログラマブル表示器の通信モードを切り換えることができ、これによりプログラマブル表示器の操作性を大幅に向上させることができるという効果を奏する。
【図面の簡単な説明】
【図１】この発明に係わるプログラマブル表示器の一実施の形態の概略構成を示すブロック図である。
【図２】図１に示したパーソナルコンピュータ３０の通信設定画面の一例を示す図である。
【図３】図２に示した通信設定画面での設定に基づき画面データの転送が終了した場合に、パーソナルコンピュータの表示画面上に表示される通信モード切り換え確認画面の一例を示す図である。
【図４】図１に示したプログラマブル表示器の動作を示すフローチャートである。
【図５】従来のプログラマブル表示器の画面メニュー上で通信モードを切り換える場合の画面メニュー例を示す図である。
【図６】従来のプログラマブル表示器の第１の問題点を説明するための図である。
【図７】従来のプログラマブル表示器の第２の問題点を説明するための図である。
【符号の説明】
１０    プログラマブル表示器
１１    画面ファイル
１２    画面表示プログラム
１３    ＰＬＣ通信プログラム
１４    画面データ転送プログラム
１５    通信ミドルウエア
１６    通信ミドルウエア
１７    汎用シリアル通信ポート
１８    汎用シリアル通信ポート
２０    ＰＬＣ（プログラマブルロジックコントローラ）
３０    パーソナルコンピュータ
４０    通信設定画面
４１    「通信設定」ボタン
５０    通信モード切り換え確認画面
【図１】
0004147372.tif 000002
【図２】
0004147372.tif 000003
【図３】
0004147372.tif 000004
【図４】
0004147372.tif 000005
【図５】
0004147372.tif 000006
【図６】
0004147372.tif 000007
【図７】
0004147372.tif 000008